(57)【特許請求の範囲】
【請求項１】
印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、
上記印刷出力装置から上記印刷データ供給装置に上記印刷ジョブ情報表示手段の表示能力情報を取得する取得工程と、
上記設定環境でユーザによりあるいは自動で入力された印刷ジョブ情報と、上記取得工程で取得した上記表示能力情報とを比較する比較工程と、
上記比較工程の結果、上記印刷ジョブ情報が上記印刷ジョブ情報表示手段の表示能力外の文字形態で入力されている場合に、上記表示能力に適合する文字形態で上記印刷ジョブ情報を入力するようにユーザに促す報知工程と、
を含んでいることを特徴とする印刷出力ユーザインタフェース制御方法。
【請求項２】
印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、
上記印刷出力装置から上記印刷データ供給装置に上記印刷ジョブ情報表示手段の表示能力情報を取得する取得工程と、
ユーザの操作に応じて上記印刷ジョブ情報表示手段の表示能力に適合する文字形態の印刷ジョブ情報を上記印刷データ供給装置に登録する登録工程と、
上記設定環境でユーザによりあるいは自動で入力された印刷ジョブ情報と、上記取得工程で取得した上記表示能力情報とを比較する比較工程と、
上記比較工程の結果、上記設定環境で入力された印刷ジョブ情報が上記表示能力外の文字形態で入力されている場合に、上記登録工程で登録した印刷ジョブ情報に変換する変換工程と、
を含んでいることを特徴とする印刷出力ユーザインタフェース制御方法。
【請求項３】
上記登録工程は複数の印刷ジョブ情報を登録し、上記変換工程は、登録した複数の印刷ジョブ情報のリストを上記ユーザインタフェース表示手段に表示させ、上記設定環境で入力された印刷ジョブ情報を、上記リストの中からユーザにより選択された印刷ジョブ情報に変換することを特徴とする請求項２に記載の印刷出力ユーザインタフェース制御方法。
【請求項４】
上記変換工程は、登録された印刷ジョブ情報が選択された場合に、複数の印刷ジョブに対して同一となり得る印刷ジョブ情報の表示内容を互いに区別可能なようにさらに変換することを特徴とする請求項２または３に記載の印刷出力ユーザインタフェース制御方法。
【請求項５】
上記変換工程は、変換後の印刷ジョブ情報を上記ユーザインタフェース表示手段に表示させてユーザに確認を促すことを特徴とする請求項２ないし４のいずれかに記載の印刷出力ユーザインタフェース制御方法。
【請求項６】
請求項１ないし５のいずれかに記載の印刷出力ユーザインタフェース制御方法をコンピュータが読み取り可能なプログラムとして格納したことを特徴とする記録媒体。
【請求項７】
請求項６に記載の記録媒体から上記プログラムを読み込んで実行するコンピュータを備えていることを特徴とする印刷データ供給装置。
【請求項８】
請求項７に記載の印刷データ供給装置と、上記印刷出力装置とがネットワークを介して接続されていることを特徴とする情報処理システム。
【発明の詳細な説明】
【０００１】
【発明の属する技術分野】
本発明は、複写機やプリンタなどの印刷出力装置に設けられた表示装置で外部から供給される情報に基づいて所定の表示を行う際に、印刷データ供給装置側での印刷関連情報の設定環境におけるユーザ入力設定支援を行う印刷出力ユーザインタフェース制御方法、およびその方法をプログラムとして格納した記録媒体、ならびにそのプログラムを実行する印刷データ供給装置と、情報処理システムとに関するものである。
【０００２】
【従来の技術】
複写機やプリンタなどの印刷出力装置をネットワークプリンタとしてグループユースで使用するケースが一般的になった現在、各クライアントがこれらを快適に利用するための様々な提案がなされている。例えば特開平８−２７２５５７号公報に開示されているプリンタシステムでは、印刷出力装置に対して発行した印刷ジョブの待ち状態などの印刷ジョブ情報を、パーソナルコンピュータなどの印刷データ供給装置で簡単に確認することが可能である。しかし、印刷出力装置での処理エラーや親展プリントの出力指示などに対しては、印刷出力装置側で操作を行う必要がある。従って、このような使用状況の場合に上記公報の構成を適用しようとすると、印刷出力装置側での上記操作の後における印刷ジョブ情報を確認するには、ユーザが印刷データ供給装置側へ一々戻らなければならず、非常に使いづらいものになることが想定される。
【０００３】
上記のように印刷出力装置側での操作が必要な場合、このような問題を解決するために、特開平８−３０７５８３号公報に開示されているプリンタシステムが有効である。このプリンタシステムでは、印刷出力装置に保留中の印刷ジョブを含めた印刷待ちの印刷ジョブをリスト表示してユーザによる確認を可能とし、また、そのジョブリストで確認した内容を基に、処理内容の変更や印刷指示などの次の動作を指示することが可能である。
【０００４】
このように現在では、指示した印刷ジョブの情報の確認を、印刷指示を行った印刷データ供給装置側だけでなく、印刷出力装置側においても行うことが不可欠になってきている。
【０００５】
印刷ジョブ情報の確認を印刷出力装置側で行うことができる構成について、プリント機能の一つである親展プリント機能を例にとって説明する。図１３は、印刷データ供給装置としてのコンピュータ２と印刷出力装置としてのプリンタ３…とがネットワークで接続された情報処理システム１の構成を示す図である。コンピュータ２は複数存在する場合もある。親展プリント（コンフィデンシャルプリント）機能は、個人の印刷物のセキュリティを高めることを意図したプリント機能であり、コンピュータ２から印刷指示を出してもプリンタ３はすぐには印刷出力を行わず、プリンタ３においてパスワードを入力し、出力指示を行って初めて印刷物が得られる機能である。親展プリント機能の設定としてはユーザ名や、印刷ジョブ名、パスワードなどの入力があり、コンピュータ２のプリンタドライバ設定画面上で行う。
【０００６】
図１４に示すようにプリンタ３がＰＳ（Ｐｏｓｔ  Ｓｃｒｉｐｔ：Ａｄｏｂｅ  Ｓｙｓｔｅｍｓ  社の登録商標）およびＨＰ−ＰＣＬあるいはＰＣＬ（Ｈｅｗｌｅｔ  Ｐａｃｋａｒｄ  Ｐｒｉｎｔｅｒ  Ｃｏｎｔｒｏｌ  Ｌａｎｇｕａｇｅ：Ｈｅｗｌｅｔ  Ｐａｃｋａｒｄ社の登録商標）  などのＰＤＬ（Ｐａｇｅ  Ｄｉｓｃｒｉｐｔ  Ｌａｎｇｕａｇｅ）に対応している場合には、コンピュータ２での印刷指示に際してＰＳドライバ画面あるいはＰＣＬドライバ画面を呼び出す。例えば同図に示す親展プリントジョブのうち「会議資料．ｘｌｓ」をプリンタ３に送る場合、図１５に示すようにあるアプリケーションソフトウェアで作成されたファイル「会議資料」のアイコンをダブルクリックで開く。次にメニューの「ファイル」を開いて「印刷」を選択し、印刷画面を開く。そして、印刷に使用するプリンタ３を選択し、プリンタ３の選択後に「プロパティ」ボタンを押す。
【０００７】
すると図１６（ａ）に示すＰＳドライバ設定画面が現れ、リテンションプリントのタグの中にあるコンフィデンシャルプリントのラジオボタンをチェックすると、同図（ｂ）に示すようにジョブＩＤ入力画面のグレイアウトが消える。ここで、ユーザ名、印刷ジョブ名、およびパスワードを入力するが、ユーザ自身による入力の他、ユーザの負担を軽減するために、ユーザ名をコンピュータ２のログイン名から、また印刷ジョブ名をアプリケーションソフト上でのファイル名から自動取得する方法もある。例えばユーザ名として「ＹＡＭＡＤＡ」、印刷ジョブ名として「会議資料」が入力されたとして、この後に図１７に示す印刷画面に戻り、印刷指示を行う。ＰＣＬを用いる場合にも同様の処理となる。
【０００８】
こうしてＰＳデータあるいはＰＣＬデータは、親展プリント機能指定や用紙情報などの印刷形態と、ユーザ名および印刷ジョブ名とを含むページ情報とともにプリンタ３へ送信される。図１４に示すように、これらのデータはのハードディスク３ａの所定のエリアに保留ジョブとして格納されるが、ページ情報のユーザ名および印刷ジョブ名は、そのファイルが印刷指示待ちの状態にあることを示す印刷ジョブ情報として、表示制御部３ｂにより、プリンタ３に設けられた液晶表示装置などの表示装置（印刷ジョブ情報表示手段）３ｃの表示画面に表示される。同様にして他の親展プリントジョブが送られると、表示装置３ｃの表示画面にはユーザ名および印刷ジョブ名が同図に示すようにリスト表示される。
【０００９】
親展プリントジョブを印刷出力する場合には、ユーザが上記リスト表示からプリンタドライバ設定画面上で設定したパスワードを用いて出力指定を行う。これにより、ハードディスク３ａから親展プリントジョブのＰＳデータあるいはＰＣＬデータがメモリ３ｄのＰＤＬデータ記憶エリアに読み出され、ラスタライズなどの機能処理が施されてメモリ３ｄにおけるＲＩＰ（Ｒａｓｔｅｒ  Ｉｍａｇｅ  Ｐｒｏｃｅｓｓｏｒ）データの記憶エリアでビットイメージに展開される。このときページ情報はＰＳデータあるいはＰＣＬデータから分離されてメモリ３ｄの所定エリアに読み出される。展開されたＲＩＰデータは、ページ情報に従ってＬＳＵ・エンジン制御部３ｅにより感光体ドラム３ｆ上の画像に変換されて印刷される。
【００１０】
【発明が解決しようとする課題】
プリンタ３などの印刷出力装置において印刷ジョブリストを表示する液晶表示装置などの表示装置は、表示文字数の制限や、表示ドライバの性能による表示可能なフォントや言語などの制限といった表示能力の点で、コンピュータ２などの印刷データ供給装置における表示装置と比較して一般に劣っている。一方、印刷出力対象となる電子データとしては、アプリケーションソフトウェアにより作成された原稿や、Ｗｅｂページ、電子メールなど多岐にわたる。また、インターネットが盛んな昨今、上記電子データのファイル名を記載する文字形態として日本語はもちろんのこと、英語を含めた多言語が共存しており、このような環境に対応することのできる表示装置を備えた印刷出力装置が求められるが、まだまだ対応できていないのが実情である。
【００１１】
従って、ネットワークに接続されるプリンタ３の表示能力は、図１３に示すように様々であって、カタカナ、英数字、その他の特殊文字のみが表示可能なものもあれば、漢字を含めた日本語が表示可能なものもある。この理由により、印刷データ供給装置で入力および確認することができるユーザ名および印刷ジョブ名などの印刷ジョブ情報を、印刷出力装置の表示装置で正しく表示することができないという不具合が発生する虞がある。例えば、印刷出力装置の表示装置の表示能力では日本語の表示が不可能な場合、印刷データ供給装置側で決定された印刷ジョブ情報が日本語であると、図１８に示すように印刷出力装置の表示装置での表示がいわゆる文字化けした状態となってしまう。同図の場合は、複数のユーザが続けて親展プリント機能を使用した結果、図１４における「会議資料」、「仕様」、「福井」、「日程表」、および「住所録」が文字化けを起こした状態で印刷ジョブリストに連続して表示されたものである。このような状態では、ユーザが印刷出力装置の表示装置において自分のジョブがいずれであるかを識別して選択することが困難である。
【００１２】
本発明は上記従来の問題点に鑑みなされたものであり、その目的は、印刷データ供給装置において印刷出力装置の表示装置の表示能力に適合する文字形態で印刷ジョブ情報を設定することができるようにユーザ入力設定支援を行う印刷出力ユーザインタフェース制御方法、およびその方法をプログラムとして格納した記録媒体、ならびにそのプログラムを実行する印刷データ供給装置と、情報処理システムとを提供することにある。
【００１３】
【課題を解決するための手段】
本発明の印刷出力ユーザインタフェース制御方法は、上記の課題を解決するために、印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、上記印刷出力装置から上記印刷データ供給装置に上記印刷ジョブ情報表示手段の表示能力情報を取得する取得工程と、上記設定環境でユーザによりあるいは自動で入力された印刷ジョブ情報と、上記取得工程で取得した上記表示能力情報とを比較する比較工程と、上記比較工程の結果、上記印刷ジョブ情報が上記印刷ジョブ情報表示手段の表示能力外の文字形態で入力されている場合に、上記表示能力に適合する文字形態で上記印刷ジョブ情報を入力するようにユーザに促す報知工程と、を含んでいることを特徴としている。
【００１４】
上記の発明によれば、予め印刷出力装置の印刷ジョブ情報表示手段の表示能力情報を印刷データ供給装置に取得しておき、ユーザによりあるいは自動で入力された印刷ジョブ情報と比較する。そして、入力された印刷ジョブ情報の文字形態が印刷ジョブ情報表示手段の表示能力外である場合には、表示能力に適合する文字形態、例えば日本語ではなくて英数字で入力するようにユーザに促す。
【００１５】
これにより、ユーザは、印刷データ供給装置において印刷出力装置の表示装置（印刷ジョブ情報表示手段）の表示能力に適合する文字形態で印刷ジョブ情報を設定することができる。
【００１６】
また、本発明の印刷出力ユーザインタフェース制御方法は、上記の課題を解決するために、印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、上記印刷出力装置から上記印刷データ供給装置に上記印刷ジョブ情報表示手段の表示能力情報を取得する取得工程と、ユーザの操作に応じて上記印刷ジョブ情報表示手段の表示能力に適合する文字形態の印刷ジョブ情報を上記印刷データ供給装置に登録する登録工程と、上記設定環境でユーザによりあるいは自動で入力された印刷ジョブ情報と、上記取得工程で取得した上記表示能力情報とを比較する比較工程と、上記比較工程の結果、上記設定環境で入力された印刷ジョブ情報が上記表示能力外の文字形態で入力されている場合に、上記登録工程で登録した印刷ジョブ情報に変換する変換工程と、を含んでいることを特徴としている。
【００１７】
上記の発明によれば、予め印刷出力装置の印刷ジョブ情報表示手段の表示能力情報を印刷データ供給装置に取得するとともに、印刷ジョブ情報表示手段の表示能力に適合する文字形態の印刷ジョブ情報をユーザの操作に応じて印刷データ供給装置に登録しておく。そして、設定環境でユーザによりあるいは自動で入力された印刷ジョブ情報を、予め取得した表示能力情報と比較し、入力された印刷ジョブ情報の文字形態が印刷ジョブ情報表示手段の表示能力外である場合には、設定環境で入力された印刷ジョブ情報を登録した印刷ジョブ情報に変換する。
【００１８】
これにより、ユーザは、印刷データ供給装置において印刷出力装置の表示装置（印刷ジョブ情報表示手段）の表示能力に適合する文字形態で、しかもユーザが文字を一文字ずつ入力し直すことなく印刷ジョブ情報を設定することができる。
【００１９】
さらに本発明の印刷出力ユーザインタフェース制御方法は、上記の課題を解決するために、上記登録工程は複数の印刷ジョブ情報を登録し、上記変換工程は、登録した複数の印刷ジョブ情報のリストを上記ユーザインタフェース表示手段に表示させ、上記設定環境で入力された印刷ジョブ情報を、上記リストの中からユーザにより選択された印刷ジョブ情報に変換することを特徴としている。
【００２０】
上記の発明によれば、複数の印刷ジョブ情報を登録しておき、設定環境で入力された印刷ジョブ情報の文字形態が印刷ジョブ情報表示手段の表示能力外である場合に、登録した複数の印刷ジョブ情報のリストをユーザインタフェース表示手段に表示させてその中からユーザが選択したものに変換する。これにより、変換候補となる印刷ジョブ情報の種類が多くなるので、設定する印刷ジョブ情報を印刷ジョブの種類に応じて変えることができる。
【００２１】
さらに本発明の印刷出力ユーザインタフェース制御方法は、上記の課題を解決するために、上記変換工程は、登録された印刷ジョブ情報が選択された場合に、複数の印刷ジョブに対して同一となり得る印刷ジョブ情報の表示内容を互いに区別可能なようにさらに変換することを特徴としている。
【００２２】
上記の発明によれば、複数の印刷ジョブに対して同じ印刷ジョブ情報が選択されても互いに区別することができるので、登録する印刷ジョブ情報が少なくても多くの印刷ジョブに対応することができる。
【００２３】
さらに本発明の印刷出力ユーザインタフェース制御方法は、上記の課題を解決するために、上記変換工程は、変換後の印刷ジョブ情報を上記ユーザインタフェース表示手段に表示させてユーザに確認を促すことを特徴としている。
【００２４】
上記の発明によれば、変換後の印刷ジョブ情報をユーザが確認することができるので、最終的にどのような印刷ジョブ情報が印刷出力装置の印刷ジョブ情報表示手段に表示されるかを容易に知ることができる。
【００２５】
また、本発明の記録媒体は、上記の課題を解決するために、前記発明のいずれかの印刷出力ユーザインタフェース制御方法をコンピュータが読み取り可能なプログラムとして格納したことを特徴としている。
【００２６】
上記の発明によれば、前記発明のユーザインタフェース制御方法がコンピュータで実行されることを前提に供給されるので、汎用性の高い方法となる。
【００２７】
また、本発明の印刷データ供給装置は、上記の課題を解決するために、上記記録媒体から上記プログラムを読み込んで実行するコンピュータを備えていることを特徴としている。
【００２８】
上記の発明によれば、印刷データ供給装置自体が前記発明の印刷出力ユーザインタフェース制御方法を実行するコンピュータを備えているので、容易に印刷出力装置の印刷ジョブ情報表示手段の表示能力に適合する印刷ジョブ情報を設定することができる。
【００２９】
また、本発明の情報処理システムは、上記の課題を解決するために、上記印刷データ供給装置と、上記印刷出力装置とがネットワークを介して接続されていることを特徴としている。
【００３０】
上記の発明によれば、印刷出力装置の印刷ジョブ情報表示手段で、常に表示能力に適合した表示が行われる情報処理システムとなる。
【００３１】
【発明の実施の形態】
本発明の一実施の形態について、図１ないし図１４に基づいて説明すれば以下の通りである。本実施の形態に係る印刷出力ユーザインタフェース制御方法が適用される情報処理システムは、前述の図１３の情報処理システム１と同等のネットワーク形態で構築されており、印刷データ供給装置としてパーソナルコンピュータやワークステーションなどのコンピュータ２が用いられ、印刷出力装置として複写機やレーザプリンタなどのプリンタ３が用いられる。印刷データ供給装置としてはこの他に、上記コンピュータ２と同等の機能を有するコンピュータを備えた複写機なども可能である。
【００３２】
図２に、上記情報処理システム１において印刷データ供給装置として用いるコンピュータ２の構成を示す。同図に示すように、コンピュータ２は、ＣＰＵ２ａ、ＲＯＭ２ｂ、ＲＡＭ２ｃ、ハードディスクやフラッシュメモリなどの読み書き可能な不揮発性メモリ２ｄ、光ディスクやＩＣカードなどの外部メディアを駆動する外部メディア駆動装置２ｅ、キーボードやマウスなどで構成される入力装置２ｆ、液晶ディスプレイやＣＲＴ、プラズマディスプレイ、ＥＬ（Ｅｌｅｃｔｒｏ  Ｌｕｍｉｎｅｓｃｅｎｃｅ）ディスプレイなどで構成される表示装置（ユーザインタフェース表示手段）２ｇ、および前記ネットワークとのインタフェースとなるネットワークＩ／Ｏ（Ｉｎｐｕｔ／Ｏｕｔｐｕｔ）２ｈを備えており、これらがバス２ｉによって接続されている。また、コンピュータ２に接続される印刷出力装置としては、図１４と同等の構成のプリンタ３を用いることができる。
【００３３】
上記コンピュータ２の不揮発性メモリ２ｄには、上記コンピュータ２の構成に組み込まれることにより本実施の形態に係る印刷出力ユーザインタフェース制御方法を実現するプログラムからなる制御ソフトウェア４が格納されている。制御ソフトウェア４は内部に上記プリンタ３用のプリンタドライバを含んでいてもよいし、プリンタドライバとは別のソフトウェアとして供給されるものであってもよい。以下では、制御ソフトウェア４がプリンタドライバを含んでいる場合について説明する。この制御ソフトウェア４は、コンピュータ２において、アプリケーションソフトウェアにより作成した印刷データをプリンタドライバによってプリンタ３へ供給する際に、印刷関連情報の設定環境を表示装置２ｇ上で提供するユーザインタフェースに対して、印刷ジョブ情報がプリンタ３の表示装置３ｃにおいてその表示能力に適合した文字形態で表示されるように、印刷ジョブ情報の設定に際してユーザ入力設定支援の制御を行うものである。
【００３４】
制御ソフトウェア４がコンピュータ２に組み込まれることにより実現する機能を図１に機能別ブロック図として表す。同図では、表示能力情報取得部４ａ、ジョブ名等取得部４ｂ、表示能力合致比較部４ｃ、比較結果処理部４ｄ、出力部４ｅ、およびプリンタドライバ４ｆを基本構成とし、さらなる機能の実現に合わせて印刷ジョブ情報登録部４ｇおよび登録印刷ジョブ情報送信部４ｈが追加される構成となっている。ＣＰＵ２ａは全ての機能ブロックにおいて制御ソフトウェア４のプログラムと組み合わされて、後述する実施例の各工程を制御する。さらに、一例として、表示能力情報取得部４ａはＲＡＭ２ｃ、不揮発性メモリ２ｄ、およびネットワークＩ／Ｏ２ｈと、ジョブ名等取得部４ｂはＲＡＭ２ｃおよび不揮発性メモリ２ｄと、表示能力合致比較部４ｃはＲＡＭ２ｃおよび入力装置２ｆが、比較結果処理部４ｄはＲＡＭ２ｃおよび表示装置２ｇが、出力部４ｅはＲＡＭ２ｃ、不揮発性メモリ２ｄ、およびネットワークＩ／Ｏ２ｈが、プリンタドライバ４ｆはＲＡＭ２ｃおよび不揮発性メモリ２ｄが、印刷ジョブ情報登録部４ｇはＲＡＭ２ｃ、不揮発性メモリ２ｄ、および入力装置２ｆが、登録印刷ジョブ情報送信部４ｈはＲＡＭ２ｃおよび不揮発性メモリ２ｄが、それぞれ制御ソフトウェア４の所定のプログラムと組み合わされた構成となっている。
【００３５】
また、プリンタ３は、図１４に示すように表示制御部３ｂからコンピュータ２に向けて表示装置３ｃの表示能力情報を発信することが可能であり、図１に示すようにこの表示能力情報の流れを制御するプログラムがプリンタ３の所定のハードウェアと組み合わされてなる表示能力情報取得／発信部５を有している。以下に、制御ソフトウェア４による種々の印刷出力ユーザインタフェース制御方法を具体的に説明する。
【００３６】
〔実施例１〕
制御ソフトウェア４が組み込まれたコンピュータ２を図１における前記基本構成とする。表示能力情報取得部４ａは、ネットワークＩ／Ｏ２ｈを介し、予めプリンタ３の表示能力情報取得／発信部５に表示装置３ｃの表示能力情報（表示サイズや表示言語種類など）の発信を要求して該表示能力情報を取得し、ＲＡＭ２ｃや不揮発性メモリ２ｄなどで構成されるコンピュータ２の記憶領域に蓄積する取得工程を行う。ユーザはコンピュータ２からプリンタ３へ印刷データを供給するにあたり、表示装置２ｇで印刷関連情報の設定を行うために印刷用のボタンをクリックするなどしてユーザインタフェースを立ち上げ、設定環境を呼び出す。この設定環境においてプリンタドライバ設定画面を開くと、印刷ジョブ情報としてユーザ名および印刷ジョブ名を入力する欄が表示される。ユーザ名および印刷ジョブ名はユーザがキーボードなどの入力装置２ｆから直接入力したものを表示させることもできるが、ユーザ名としてログイン名を、また、印刷ジョブ名として印刷データを作成したアプリケーションソフトウェア上でのファイル名を、ジョブ名等取得部４ｂにより上記記憶領域の電子原稿データから取得して自動的に入力欄に表示させることもできる。
【００３７】
表示能力合致比較部４ｃは、ユーザによるあるいは自動での入力のユーザ名および印刷ジョブ名を、予め表示能力情報取得部４ａにより取得した表示能力情報を記憶領域から読み出して比較し、表示能力に適合しているか否かを判定する比較工程を行う。例えば、ジョブ名等取得部４ｂによるユーザ名および印刷ジョブ名の自動取得を行う場合に、コンピュータ２のログイン名が日本語で「福井」と設定されていたり、印刷ジョブのファイル名が日本語で「日程表」というように設定されていたりして、日本語の文字形態がプリンタ３の表示装置３ｃの表示能力外である場合には、入力されたユーザ名および印刷ジョブ名が表示能力に適合していないと判定する。ユーザが「福井」、「日程表」と入力する場合にも同じ判定となる。
【００３８】
比較結果処理部４ｄは、上記比較結果を受けて、表示能力に適合している場合にはユーザ名および印刷ジョブ名の入力欄にそのまま表示を行い、表示能力に適合していない場合には表示を行わずに空白のままとする。表示能力に適合していない場合には、さらに図３（ａ）に示すように、「出力装置の表示能力では、ユーザ／ジョブ名称を表示することができません。」、「ユーザ／ジョブ名を英数字で入力して下さい。」などといったメッセージを表示装置２ｇに表示させ、ユーザに表示能力に適合する文字形態で入力するように促す報知工程を行う。このような報知は表示装置２ｇ上での表示によるものに限らず、音声によるものでもよい。
【００３９】
上記例のように日本語の入力が不可能である場合には、ユーザはこの指示に従って、同図（ｂ）に示すようにユーザ名「ＦＵＫＵＩ」、印刷ジョブ名「ＤＯＣＵＭＥＮＴ」を入力する。これによりユーザ名および印刷ジョブ名が表示されて確定する。その他、親展プリント機能であるか通常印字であるかなどといった設定機能内容の設定が終了すると、出力部４ｅはユーザ名および印刷ジョブ名と、設定機能内容とを出力する一方、プリンタドライバ４ｆはアプリケーションソフトウェアから受け取った印刷データをＰＳデータやＰＣＬデータなどのＰＤＬデータに変換する。制御ソフトウェア４はこのようなＰＤＬデータに、ユーザ名および印刷ジョブ名と設定機能内容とをページ情報として付加し、ネットワークＩ／Ｏ２ｈを介してプリンタ３に送信する。これにより、プリンタ３の表示装置３ｃには文字化けが発生することはなく、表示装置３ｃを見たユーザは自分の印刷ジョブがいずれであるかを容易に識別することができる。
【００４０】
以上のように、本実施例によれば、ユーザは、印刷データ供給装置において印刷出力装置の表示装置の表示能力に合わせた文字形態で印刷ジョブ情報を設定することができる。
【００４１】
〔実施例２〕
制御ソフトウェア４が組み込まれたコンピュータ２を、図１における前記基本構成に、印刷ジョブ情報登録部４ｇおよび登録印刷ジョブ情報送信部４ｈを追加した構成とする。本実施例では、予め表示能力情報取得部４ａによりプリンタ３の表示装置３ｃの表示能力情報を取得した後、印刷ジョブ情報登録部４ｇにより、上記表示能力に適合する文字形態の印刷ジョブ情報を登録しておく登録工程を行う。図４に示すように、印刷関連情報の設定環境のうち、プリンタドライバ４ｆのプロパティ画面を開き、ユーザ名および印刷ジョブ名の事前登録を行う。ここではユーザによる入力装置２ｆからの直接入力となるが、この入力文字形態が表示装置３ｃの表示能力に適合しなければならないので、表示能力合致比較部４ｃが実施例１の比較工程と同様に比較判定を行う。
【００４２】
比較の結果、入力しようとするユーザ名および印刷ジョブ名の文字形態が表示能力に適合している場合は、ユーザ名および印刷ジョブ名がそのまま入力欄に表示される。文字形態が表示能力外であるときには、比較結果処理部４ｄが実施例１と同様に報知を行うので、ユーザは表示能力に適合する文字形態で入力し直すことにより、ユーザ名および印刷ジョブ名が入力欄に表示される。これにより確定した印刷ジョブ情報は、印刷ジョブ情報登録部４ｇが、ハードディスクなどの記憶領域にプリンタドライバ設定情報として記憶させることにより、登録された状態となる。図４は、表示能力に適合するユーザ名「ＹＡＭＡＤＡ」および印刷ジョブ名「ＷＯＲＫ」を登録する様子を示している。
【００４３】
本実施例では、この登録された印刷ジョブ情報を利用し、プリンタ３への印刷データの供給を行う際の印刷関連情報の設定において、プリンタ３の表示装置３ｃの表示能力外の文字形態で印刷ジョブ情報を入力したときに、登録された印刷ジョブ情報に自動的に変換する。これにより、表示能力外の文字形態で入力されたときに報知を行って正しい入力をユーザに行わせる実施例１の場合と比較して、ユーザが一文字ずつ入力し直す必要がないという利点がある。
【００４４】
次に、上記構成の制御ソフトウェア４により親展プリントジョブの印刷ジョブ情報の設定を行う手順について、図５ないし図８を用いて説明する。まず、図５に示すように、アプリケーションソフトウェアで作成されたファイル「会議資料」のデータをアイコンのダブルクリックで開き、印刷用のボタンをクリックしてユーザインタフェースを立ち上げ、印刷関連情報の設定環境を呼び出す。この画面で「プロパティ」を選択して、図６（ａ）に示すようにプリンタドライバ設定画面を開く。同図において、「リテンション」プリントのタグを選択して「コンフィデンシャル」のラジオボタンをチェックすると、「ジョブＩＤ入力」画面には、既にジョブ名等取得部４ｂによってコンピュータ２のログイン名「ＹＡＭＡＤＡ」から取得したユーザ名「ＹＡＭＡＤＡ」、アプリケーションソフトウェア上のファイル名「会議資料」から取得した印刷ジョブ名「会議資料」が入力された状態となる。しかし、日本語が表示能力外であるとすると、表示能力合致比較部４ｃの比較工程によって印刷ジョブ名が表示能力外であることが判定され、比較結果処理部４ｄにより同図（ｂ）に示すようにユーザ名の欄に「ＹＡＭＡＤＡ」が表示される一方、印刷ジョブ名の欄は空白のままとなる。
【００４５】
ここで、登録印刷ジョブ情報送信部４ｈが、登録された印刷ジョブ情報の印刷ジョブ名である「ＷＯＲＫ」を前記記憶領域から読み出し、比較結果処理部４ｄが「ジョブＩＤ入力」画面の印刷ジョブ名の欄に入力する文字を「会議資料」から「ＷＯＲＫ」に変換して表示装置２ｇに表示させる変換工程を行う。ここで、「ＷＯＲＫ」をそのまま印刷ジョブ名として決定して用いてもよいが、この後に同じユーザが別の印刷ジョブをプリンタ３へ供給する場合には、登録された印刷ジョブ名が１種類であるので、登録された印刷ジョブ名を用いて同じユーザ名および印刷ジョブ名の印刷ジョブが複数供給されることもあり得る。従って、プリンタ３の表示装置３ｃでそのユーザのジョブ同士を識別することが困難になる虞がある。
【００４６】
このような場合に対処するために、比較結果処理部４ｄは、変換工程において、登録された印刷ジョブ情報に変換する際に、印刷ジョブ情報にその処理順序を表すナンバリングを行って、表示内容を登録された印刷ジョブ情報からさらに変換するようになっている。今の場合、例えば最初の「ＷＯＲＫ」を「ＷＯＲＫ−１」に、次の「ＷＯＲＫ」を「ＷＯＲＫ−２」に、といったように変換する。あるいは「ＷＯＲＫ」をそのままにして「ＹＡＭＡＤＡ」を「ＹＡＭＡＤＡ−１」、「ＹＡＭＡＤＡ−２」としてもよい。付加する番号は比較結果処理部４ｄによって自動的にカウントアップが行われる。また、数字に限らず、アルファベットや順序の分かる記号、印刷ジョブの発行時刻などを用いて、複数の印刷ジョブが互いに区別可能な表示内容に変換すればよい。これにより、登録する印刷ジョブ情報が１つであっても多くの印刷ジョブに対応することができる。
【００４７】
そして、上記のナンバリングによって自動変換した印刷ジョブ名を何らの報知もなく突然使用するとユーザの混乱を招く結果になるので、比較結果処理部４ｄは変換工程において、図７（ａ）に示すようにポップアップ画面をプリンタドライバ設定画面上に表示させ、「出力装置の表示能力では、ジョブ名称を表示することができません。」といったメッセージとともに、「ジョブ名：ＷＯＲＫ−１で送信します。」などといった注意書きを表示させ、ユーザに対して印刷ジョブ情報が変換されたことの確認を促す。ユーザはプリンタ３へ供給される印刷ジョブ情報の印刷ジョブ名が「ＷＯＲＫ−１」であることを確認し、これでよければ「ＯＫ」ボタンを押し、別の印刷ジョブ名に設定したければ「ジョブ名変更」ボタンを押して別の印刷ジョブ名を英数字で入力することができる。これにより、同図（ｂ）に示すように印刷ジョブ情報が確定する。
【００４８】
そして、図８に示すように印刷画面に戻り、「ＯＫ」ボタンを押すと、プリンタドライバ４ｆからのＰＤＬデータに出力部４ｅからのページ情報が付加されてプリンタ３へ供給される。この結果、図９に示すように、プリンタ３の表示装置３ｃで文字化けが起ることはなく、印刷ジョブ名として「ＷＯＲＫ−１」が表示されるので、ユーザはこれを見て自分の印刷ジョブがいずれであるかを容易に識別することができる。
【００４９】
〔実施例３〕
制御ソフトウェア４が組み込まれたコンピュータ２を実施例２と同様の構成とするが、印刷ジョブ情報登録部４ｇにより登録工程において登録する印刷ジョブ情報を複数とする。そして、印刷関連情報の設定において、印刷ジョブ情報がプリンタ３の表示装置３ｃの表示能力外の文字形態で入力されたときに、登録された複数の印刷ジョブ情報の中からユーザが所望するものを選択するようにする。これにより、ユーザが一文字ずつ入力し直す必要がないことに加えて、変換候補となる印刷ジョブ情報の種類が多くなるので、印刷ジョブの種類に応じて印刷ジョブ情報を変えることができる。
【００５０】
具体的には、図１０に示すように、印刷関連情報の設定環境のうち、プリンタドライバ４ｆのプロパティ画面を開き、ユーザ名および印刷ジョブ名の事前登録を行う。同図では変換用の印刷ジョブ情報としてワードプロセッサで作成したテキストやメールデータなどといった印刷ジョブの種類に応じて使い分けることができるように、印刷ジョブ名を複数登録している。また、ログイン名と異なるユーザ名としたいときにも対応することができるように、ユーザ名を複数登録することもできる。この登録工程において表示能力合致比較部４ｃによる比較判定を利用することは実施例２と同様である。
【００５１】
プリンタドライバ設定画面上で印刷ジョブ名がプリンタ３の表示装置３ｃの表示能力外の文字形態で入力されたとすると、比較結果処理部４ｄは変換工程において、ジョブＩＤ入力画面の印刷ジョブ名の入力欄を空白のままとする。そして、図１１（ａ）に示すようにポップアップ画面をプリンタドライバ設定画面上に表示させ、「出力装置の表示能力では、ジョブ名称を表示することができません。」といったメッセージとともに、「ジョブ名称を選択して下さい。」といった注意書きを表示装置２ｇに表示させる。ユーザは「ＯＫ」ボタンを押した後、同図（ｂ）に示すように印刷ジョブ名の入力欄に設けられたプルダウンキーを押す。
【００５２】
すると、登録印刷ジョブ情報送信部４ｈが登録された複数の印刷ジョブ名を前記記憶領域から読み出し、比較結果処理部４ｄが図１２（ａ）に示すように印刷ジョブ名のリストを表示装置２ｇに表示させる。ユーザはこのリストから所望の印刷ジョブ名を選択する。同図に示すように「ＭＡＩＬ  ＤＡＴＡ」を選択したとすると、比較結果処理部４ｄは同図（ｂ）に示すように印刷ジョブ名の入力欄に「ＭＡＩＬ  ＤＡＴＡ」と表示させ、最初にユーザによってあるいは自動で入力された印刷ジョブ名を「ＭＡＩＬ  ＤＡＴＡ」に変換する。このとき、印刷ジョブ名を最終的に「ＭＡＩＬ  ＤＡＴＡ」に設定するかどうかの確認をユーザに促すようなポップアップ画面を表示させてもよい。
【００５３】
なお、このような変換工程において、同じユーザ名および印刷ジョブ名の印刷ジョブが複数発生することもあるので、リストからの選択の後に実施例２と同様に印刷ジョブ情報ごとにナンバリングなどを行って表示内容を互いに区別可能なようにさらに変換してもよい。これにより、登録する印刷ジョブ情報が少なくても多くの印刷ジョブに対応することができる。また、前記プロパティ画面で登録された印刷ジョブ名を変更しても、プロパティ画面における印刷ジョブ名と、プリンタドライバ設定画面で選択する印刷ジョブ名とは常にリンクしているため、両画面の登録または表示に用いられる印刷ジョブ名は全く同じになる。
【００５４】
以上、実施例１ないし３で説明した制御ソフトウェア４は、前述したように上述の各工程を機能させるためのプログラムで構成される。このプログラムはコンピュータで読み取り可能な記録媒体に格納されている。このような記録媒体により、本実施の形態の印刷出力ユーザインタフェース制御方法はコンピュータで実行されることを前提として提供され、汎用性の高いものとなる。この記録媒体は、例えば図２のＲＯＭ２ｂや不揮発性メモリ２ｄとして用いられるマスクＲＯＭ、ＥＰＲＯＭ、ＥＥＰＲＯＭ、フラッシュＲＯＭ等の半導体メモリやハードディスクといった、コンピュータ２に備えられて固定的にプログラムを担持する媒体であり、また例えば磁気テープやカセットテープ等のテープ系、フロッピーディスクやリムーバブルハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系といった、外部メディア駆動装置２ｅで駆動され、該装置と分離可能に構成される媒体である。
【００５５】
いずれの場合においても、格納されているプログラムはＣＰＵ２ａのアクセスによって実行される構成であってもよいし、読み出されたプログラムがＲＡＭ２ｂなどのプログラム記憶エリアにダウンロードされて、そのプログラムが実行される構成であってもよい。このダウンロード用のプログラムは予めコンピュータ２の装置本体に格納されているものとする。
【００５６】
上記記録媒体は、前述した印刷出力ユーザインタフェース制御方法を機能させるプログラムのみが制御ソフトウェア４として格納されたものでもよいし、プリンタドライバ４ｆやその他のツールをも含めたプログラムが合わせて制御ソフトウェア４として格納されたものでもよい。前者の場合は、既存のプリンタ３に対して上記印刷出力ユーザインタフェース制御方法を適用したい場合に有効である。後者の場合は、新たな構成のプリンタ３をそれ専用のプリンタドライバ４ｆとともに供給する際に、上記印刷出力ユーザインタフェース制御方法のプログラムをプリンタドライバ４ｆに合わせた独自の仕様とすることができる。この場合、供給されるプリンタ３は制御ソフトウェア４の使用を前提としたものになる。
【００５７】
また、本実施の形態においては、コンピュータ２がネットワークＩ／Ｏ２ｈを備えていてインターネットを含む通信ネットワークと接続可能なシステム構成となっていることから、通信ネットワークからプログラムをダウンロードするように流動的にプログラムを担持する媒体であってもよい。尚、このように通信ネットワークからプログラムをダウンロードする場合には、そのダウンロード用プログラムは予めコンピュータ２の装置本体に格納しておくか、あるいは別な記録媒体からインストールすればよい。
【００５８】
尚、記録媒体に格納されている内容としてはプログラムに限定されず、データであってもよい。
【００５９】
また、本実施の形態に係る印刷データ供給装置は、複写機など他の機能を備えている場合も含めて、それ自体が上記記録媒体からプログラムを読み込んで前記印刷出力ユーザインタフェース制御方法を実行するコンピュータを備えている。従って、容易に印刷出力装置の印刷ジョブ情報表示手段の表示能力に適合した印刷ジョブ情報を設定することができる。
【００６０】
さらに、本実施の形態に係る情報処理システムは、上記印刷データ供給装置と、上記印刷出力装置とがネットワークを介して接続されているので、印刷出力装置の印刷ジョブ情報表示手段で、常に表示能力に適合した表示が行われる情報処理システムとなる。
【００６１】
【発明の効果】
本発明の印刷出力ユーザインタフェース制御方法は、以上のように、印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、上記印刷出力装置から上記印刷データ供給装置に上記印刷ジョブ情報表示手段の表示能力情報を取得する取得工程と、上記設定環境でユーザによりあるいは自動で入力された印刷ジョブ情報と、上記取得工程で取得した上記表示能力情報とを比較する比較工程と、上記比較工程の結果、上記印刷ジョブ情報が上記印刷ジョブ情報表示手段の表示能力外の文字形態で入力されている場合に、上記表示能力に適合する文字形態で上記印刷ジョブ情報を入力するようにユーザに促す報知工程と、を含んでいる構成である。
【００６２】
それゆえ、ユーザは入力した印刷ジョブ情報の文字形態が印刷ジョブ情報表示手段の表示能力外である場合にこれを知ることができる。これにより、ユーザは、印刷データ供給装置において印刷出力装置の表示装置（印刷ジョブ情報表示手段）の表示能力に適合する文字形態で印刷ジョブ情報を設定することができるという効果を奏する。
【００６３】
また、本発明の印刷出力ユーザインタフェース制御方法は、以上のように、印刷ジョブごとの印刷ジョブ情報を表示する印刷ジョブ情報表示手段を備えた印刷出力装置に対し、上記印刷出力装置にネットワークで繋がれた印刷データ供給装置から上記印刷ジョブ情報とともに印刷データを供給する際に、印刷関連情報の設定環境を上記印刷データ供給装置に設けられたユーザインタフェース表示手段に提供するユーザインタフェースに対し、上記印刷ジョブ情報の設定を制御する印刷出力ユーザインタフェース制御方法であって、上記印刷出力装置から上記印刷データ供給装置に上記印刷ジョブ情報表示手段の表示能力情報を取得する取得工程と、ユーザの操作に応じて上記印刷ジョブ情報表示手段の表示能力に適合する文字形態の印刷ジョブ情報を上記印刷データ供給装置に登録する登録工程と、上記設定環境でユーザによりあるいは自動で入力された印刷ジョブ情報と、上記取得工程で取得した上記表示能力情報とを比較する比較工程と、上記比較工程の結果、上記設定環境で入力された印刷ジョブ情報が上記表示能力外の文字形態で入力されている場合に、上記登録工程で登録した印刷ジョブ情報に変換する変換工程と、を含んでいる構成である。
【００６４】
それゆえ、入力された印刷ジョブ情報の文字形態が印刷ジョブ情報表示手段の表示能力外である場合に、この印刷ジョブ情報を登録した印刷ジョブ情報に変換する。これにより、ユーザは、印刷データ供給装置において印刷出力装置の表示装置（印刷ジョブ情報表示手段）の表示能力に適合する文字形態で、しかもユーザが文字を一文字ずつ入力し直すことなく印刷ジョブ情報を設定することができるという効果を奏する。
【００６５】
さらに本発明の印刷出力ユーザインタフェース制御方法は、以上のように、上記登録工程は複数の印刷ジョブ情報を登録し、上記変換工程は、登録した複数の印刷ジョブ情報のリストを上記ユーザインタフェース表示手段に表示させ、上記設定環境で入力された印刷ジョブ情報を、上記リストの中からユーザにより選択された印刷ジョブ情報に変換する構成である。
【００６６】
それゆえ、入力された印刷ジョブ情報の文字形態が印刷ジョブ情報表示手段の表示能力外である場合に、印刷ジョブ情報を、登録した複数の印刷ジョブ情報のリストの中からユーザが選択したものに変換する。これにより、変換候補となる印刷ジョブ情報の種類が多くなるので、設定する印刷ジョブ情報を印刷ジョブの種類に応じて変えることができるという効果を奏する。
【００６７】
さらに本発明の印刷出力ユーザインタフェース制御方法は、以上のように、上記変換工程は、登録された印刷ジョブ情報が選択された場合に、複数の印刷ジョブに対して同一となり得る印刷ジョブ情報の表示内容を互いに区別可能なようにさらに変換する構成である。
【００６８】
それゆえ、複数の印刷ジョブに対して同じ印刷ジョブ情報が選択されても互いに区別することができるので、登録する印刷ジョブ情報が少なくても多くの印刷ジョブに対応することができるという効果を奏する。
【００６９】
さらに本発明の印刷出力ユーザインタフェース制御方法は、以上のように、上記変換工程は、変換後の印刷ジョブ情報を上記ユーザインタフェース表示手段に表示させてユーザに確認を促す構成である。
【００７０】
それゆえ、変換後の印刷ジョブ情報をユーザが確認することができるので、最終的にどのような印刷ジョブ情報が印刷出力装置の印刷ジョブ情報表示手段に表示されるかを容易に知ることができるという効果を奏する。
【００７１】
また、本発明の記録媒体は、以上のように、前記発明のいずれかの印刷出力ユーザインタフェース制御方法をコンピュータが読み取り可能なプログラムとして格納した構成である。
【００７２】
それゆえ、前記発明のユーザインタフェース制御方法がコンピュータで実行されることを前提に供給されるので、汎用性の高い方法となるという効果を奏する。
【００７３】
また、本発明の印刷データ供給装置は、以上のように、上記記録媒体から上記プログラムを読み込んで実行するコンピュータを備えている構成である。
【００７４】
それゆえ、印刷データ供給装置自体が前記発明の印刷出力ユーザインタフェース制御方法を実行するコンピュータを備えているので、容易に印刷出力装置の印刷ジョブ情報表示手段の表示能力に適合する印刷ジョブ情報を設定することができるという効果を奏する。
【００７５】
また、本発明の情報処理システムは、以上のように、上記印刷データ供給装置と、上記印刷出力装置とがネットワークを介して接続されている構成である。
【００７６】
それゆえ、印刷出力装置の印刷ジョブ情報表示手段で、常に表示能力に適合した表示が行われる情報処理システムとなるという効果を奏する。
【図面の簡単な説明】
【図１】本発明の実施の形態に係る印刷出力ユーザインタフェース制御方法を実現するソフトウェアが組み込まれた印刷データ供給装置の機能を説明するブロック図である。
【図２】本発明の実施の形態に係る印刷データ供給装置の構成を示すブロック図である。
【図３】（ａ）および（ｂ）は、第１の実施例における図１の機能の実行時におけるユーザインタフェース画面を説明する説明図である。
【図４】第２の実施例における図１の機能の実行時における第１のユーザインタフェース画面を説明する説明図である。
【図５】第２の実施例における図１の機能の実行時における第２のユーザインタフェース画面を説明する説明図である。
【図６】（ａ）および（ｂ）は、第２の実施例における図１の機能の実行時における第３のユーザインタフェース画面を説明する説明図である。
【図７】（ａ）および（ｂ）は、第２の実施例における図１の機能の実行時における第４のユーザインタフェース画面を説明する説明図である。
【図８】第２の実施例における図１の機能の実行時における第５のユーザインタフェース画面を説明する説明図である。
【図９】第２の実施例における図１の機能の実行時における印刷出力装置の表示装置の表示画面を説明する説明図である。
【図１０】第３の実施例における図１の機能の実行時における第１のユーザインタフェース画面を説明する説明図である。
【図１１】（ａ）および（ｂ）は、第３の実施例における図１の機能の実行時における第２のユーザインタフェース画面を説明する説明図である。
【図１２】（ａ）および（ｂ）は、第３の実施例における図１の機能の実行時における第３のユーザインタフェース画面を説明する説明図である。
【図１３】本発明の実施の形態に係る、あるいは従来の情報処理システムを構築するネットワークの構成を説明する説明図である。
【図１４】本発明の実施の形態に係る、あるいは従来の印刷出力装置の構成および機能を示すブロック図である。
【図１５】従来の第１のユーザインタフェース画面を説明する説明図である。
【図１６】（ａ）および（ｂ）は、従来の第２のユーザインタフェース画面を説明する説明図である。
【図１７】従来の第３のユーザインタフェース画面を説明する説明図である。
【図１８】従来の印刷出力装置の表示装置における表示画面を説明する説明図である。
【符号の説明】
１    情報処理システム
２    コンピュータ（印刷データ供給装置）
２ｂ  ＲＯＭ（記録媒体）
２ｄ  不揮発性メモリ（記録媒体）
２ｇ  表示装置（ユーザインタフェース表示手段）
３    プリンタ（印刷出力装置）
３ｃ  表示装置（印刷ジョブ情報表示手段）
４    制御ソフトウェア
【図１】
0003588038.tif 000002
【図２】
0003588038.tif 000003
【図３】
0003588038.tif 000004
【図４】
0003588038.tif 000005
【図５】
0003588038.tif 000006
【図６】
0003588038.tif 000007
【図７】
0003588038.tif 000008
【図８】
0003588038.tif 000009
【図９】
0003588038.tif 000010
【図１０】
0003588038.tif 000011
【図１１】
0003588038.tif 000012
【図１２】
0003588038.tif 000013
【図１３】
0003588038.tif 000014
【図１４】
0003588038.tif 000015
【図１５】
0003588038.tif 000016
【図１６】
0003588038.tif 000017
【図１７】
0003588038.tif 000018
【図１８】
0003588038.tif 000019